(57)【要約】【課題】専用測定機器を用いず、印刷された管理用パッチの撮像画像による印刷色の評価で、印刷物の印刷色の管理を安定的に行う印刷色評価システムを提供する。【解決手段】本発明は、複数の印刷色の色パッチによる管理用パッチの撮像画像から、複数の印刷色の各々のＲＧＢ値を抽出するＲＧＢ値抽出部と、印刷色毎のＲＧＢ値を対象三刺激値に変換する三刺激値変換部と、環境光の三刺激値に対する対象三刺激値の比を変数として、印刷色毎の対象インキ傾き係数、三刺激値に予め設定された参照三刺激値の比を変数として参照インキ傾き係数の各々を算出するインキ傾き係数算出部と、対象インキ傾き係数及び参照インキ傾き係数の各々から、対象比色トーン値、参照比色トーン値を算出する比色トーン算出部と、対象比色トーン値と、参照比色トーン値と、印刷した紙の比色トーン値とを用い、パッチそれぞれの印刷色の濃度を算出する印刷色濃度算出部とを備える。【選択図】図１
2018122445.tif 000002
【特許請求の範囲】
【請求項１】
色管理の対象物の所定の場所に設けられた、複数の印刷色の色パッチから構成される管理用パッチが撮像された撮像画像から、前記複数の印刷色の各々におけるＲＧＢ値を抽出するＲＧＢ値抽出部と、
前記印刷色毎の前記ＲＧＢ値を対象三刺激値に変換する三刺激値変換部と、
環境光の三刺激値に対する前記対象三刺激値の比を変数として所定の式により、前記印刷色毎の対象インキ傾き係数、前記三刺激値に対する予め設定された参照三刺激値の比を変数として所定の関数により参照インキ傾き係数の各々を算出するインキ傾き係数算出部と、
前記対象インキ傾き係数及び参照インキ傾き係数の各々から、対象比色トーン値、参照比色トーン値を所定の式により、算出する比色トーン算出部と、
前記対象比色トーン値と、前記参照比色トーン値と、印刷した紙の比色トーン値とを用いて、前記色パッチそれぞれの印刷色の濃度を、所定の式により算出する印刷色濃度算出部と
を備えることを特徴とする印刷色評価システム。
【請求項２】
前記対象三刺激値から、ＣＩＥＣＡＭ０２の空間的色知覚モデルのパラメータに変換する空間的色知覚モデル変換部と、
前記空間的色知覚モデルからＬａｂ色空間に変換するＬａｂ色空間変換部と、
Ｌａｂ色空間から擬似三刺激値に変換する修正三刺激値変換部と
をさらに備え、
インキ傾き係数算出部が、前記対象インキ傾き係数を求める際、前記擬似三刺激値を用いる
ことを特徴とする請求項１に記載の印刷色評価システム。
【請求項３】
前記インキ傾き係数算出部が、前記対象三刺激値と前記予め印刷した前記印刷色を測定して求めた前記参照三刺激値との各々から、前記印刷色毎の対象インキ傾き係数、参照インキ傾き係数それぞれを求め、
比色トーン算出部が、対象インキ傾き係数及び前記参照インキ傾き係数の各々を用い、対象比色トーン値、参照比色トーン値それぞれを求め、
前記印刷色濃度算出部が、参照比色トーン値に対する比色トーン値の比と、前記予め印刷した印刷色の印刷を測定して求めた測定濃度とを用いて、前記印刷色の各々の濃度を求める
ことを特徴とする請求項１または請求項２に記載の印刷色評価システム。
【請求項４】
前記印刷色の濃度を、印刷装置毎に履歴を取り、印刷色の濃度の変動を管理する履歴管理部を
さらに備えることを特徴とする請求項１から請求項３のいずれか一項に記載の印刷色評価システム。
【請求項５】
ＲＧＢ値抽出部が、色管理の対象物の所定の場所に設けられた、複数の印刷色の色パッチから構成される管理用パッチが撮像された撮像画像から、前記複数の印刷色の各々におけるＲＧＢ値を抽出するＲＧＢ値抽出過程と、
三刺激値変換部が、前記印刷色毎の前記ＲＧＢ値を対象三刺激値に変換する三刺激値変換過程と、
インキ傾き係数算出部が、環境光の三刺激値に対する前記対象三刺激値の比を変数として所定の式により、前記印刷色毎の対象インキ傾き係数、前記三刺激値に対する予め設定された参照三刺激値の比を変数として所定の関数により参照インキ傾き係数の各々を算出するインキ傾き係数算出過程と、
比色トーン算出部が、前記対象インキ傾き係数及び参照インキ傾き係数の各々から、対象比色トーン値、参照比色トーン値を所定の式により、算出する比色トーン算出過程と、
印刷色濃度算出部が、前記対象比色トーン値と、前記参照比色トーン値と、印刷した紙の比色トーン値とを用いて、前記色パッチそれぞれの印刷色の濃度を、所定の式により算出する印刷色濃度算出過程部と
を含むことを特徴とする印刷色評価方法。
【発明の詳細な説明】
【技術分野】
【０００１】
本発明は、紙に印刷されたインキの印刷色の評価を行なう印刷色評価システム及び印刷色評価方法に関する。
【背景技術】
【０００２】
従来から、同様の印刷物を継続して印刷する際、印刷する毎に、印刷された印刷色が安定した品質であるか否かの評価が行なわれている（例えば、特許文献１を参照）。
例えば、新聞業界においては、印刷される新聞紙面の印刷色の管理を行なうため、新聞紙面の所定の位置にレイアウトされている管理用パッチを用いて行なっている。この管理用パッチが複数の色のインキで印刷された印刷色から構成されており、印刷色を専用測定機器で測定し、新聞紙面における印刷色の変動の管理を、複数の管理項目（濃度、ドットゲイン、トラッピングなど）を観察することにより行なっている。
【先行技術文献】
【特許文献】
【０００３】
【特許文献１】特開２００４−１０６５２３号公報
【発明の概要】
【発明が解決しようとする課題】
【０００４】
しかしながら、上述した特許文献１をはじめとして一般的には、安定的な印刷色を保つため、管理用パッチの印刷色を日々測定する必要があり、専用測定機器を印刷工場毎に設置する必要があり、管理コストが高くなってしまう。
また、使用している専用測定機器が生産中止になった際、測定される管理項目の情報の基準及び精度などが異なり、新たに測定した管理項目と履歴情報としての管理項目とが比較できなくなり、変動の管理が中断して印刷色の安定した品質を保てなくなる。
【０００５】
本発明は、上述した点を鑑みてなされたもので、専用測定機器を用いずに、印刷物に印刷された管理用パッチにおける印刷色の各々の撮像画像による評価により印刷物に印刷される印刷色の管理を安定的に行える印刷色評価システム及び印刷色評価方法を提供することを目的とする。
【課題を解決するための手段】
【０００６】
この発明は上述した課題を解決するためになされたもので、本発明の印刷色評価システムは、色管理の対象物の所定の場所に設けられた、複数の印刷色の色パッチから構成される管理用パッチが撮像された撮像画像から、前記複数の印刷色の各々におけるＲＧＢ値を抽出するＲＧＢ値抽出部と、前記印刷色毎の前記ＲＧＢ値を対象三刺激値に変換する三刺激値変換部と、環境光の三刺激値に対する前記対象三刺激値の比を変数として所定の式により、前記印刷色毎の対象インキ傾き係数、前記三刺激値に対する予め設定された参照三刺激値の比を変数として所定の関数により参照インキ傾き係数の各々を算出するインキ傾き係数算出部と、前記対象インキ傾き係数及び参照インキ傾き係数の各々から、対象比色トーン値、参照比色トーン値を所定の式により、算出する比色トーン算出部と、前記対象比色トーン値と、前記参照比色トーン値と、印刷した紙の比色トーン値とを用いて、前記色パッチそれぞれの印刷色の濃度を、所定の式により算出する印刷色濃度算出部とを備えることを特徴とする。
【０００７】
本発明の印刷色評価システムは、前記対象三刺激値から、ＣＩＥＣＡＭ０２の空間的色知覚モデルのパラメータに変換する空間的色知覚モデル変換部と、前記空間的色知覚モデルからＬａｂ色空間に変換するＬａｂ色空間変換部と、Ｌａｂ色空間から擬似三刺激値に変換する修正三刺激値変換部とをさらに備え、インキ傾き係数算出部が、前記対象インキ傾き係数を求める際、前記擬似三刺激値を用いることを特徴とする。
【０００８】
本発明の印刷色評価システムは、前記インキ傾き係数算出部が、前記対象三刺激値と前記予め印刷した前記印刷色を測定して求めた前記参照三刺激値との各々から、前記印刷色毎の対象インキ傾き係数、参照インキ傾き係数それぞれを求め、比色トーン算出部が、対象インキ傾き係数及び前記参照インキ傾き係数の各々を用い、対象比色トーン値、参照比色トーン値それぞれを求め、前記印刷色濃度算出部が、参照比色トーン値に対する対象比色トーン値の比と、前記予め印刷した印刷色の印刷を測定して求めた測定濃度とを用いて、前記印刷色の各々の濃度を求めることを特徴とする。
【０００９】
本発明の印刷色評価システムは、前記印刷色の濃度を、印刷装置毎に履歴を取り、印刷色の濃度の変動を管理する履歴管理部をさらに備えることを特徴とする。
【００１０】
本発明の印刷色評価方法は、ＲＧＢ値抽出部が、色管理の対象物の所定の場所に設けられた、複数の印刷色の色パッチから構成される管理用パッチが撮像された撮像画像から、前記複数の印刷色の各々におけるＲＧＢ値を抽出するＲＧＢ値抽出過程と、三刺激値変換部が、前記印刷色毎の前記ＲＧＢ値を対象三刺激値に変換する三刺激値変換過程と、インキ傾き係数算出部が、環境光の三刺激値に対する前記対象三刺激値の比を変数として所定の式により、前記印刷色毎の対象インキ傾き係数、前記三刺激値に対する予め設定された参照三刺激値の比を変数として所定の関数により参照インキ傾き係数の各々を算出するインキ傾き係数算出過程と、比色トーン算出部が、前記対象インキ傾き係数及び参照インキ傾き係数の各々から、対象比色トーン値、参照比色トーン値を所定の式により、算出する比色トーン算出過程と、印刷色濃度算出部が、前記対象比色トーン値と、前記参照比色トーン値と、印刷した紙の比色トーン値とを用いて、前記色パッチそれぞれの印刷色の濃度を、所定の式により算出する印刷色濃度算出過程部とを含むことを特徴とする。
【発明の効果】
【００１１】
この発明によれば、専用測定機器を用いずに、印刷物に印刷された管理用パッチにおける印刷色の各々の撮像画像による評価により印刷物に印刷される印刷色の管理を安定的に行える印刷色評価システム及び印刷色評価方法を提供することができる。
【図面の簡単な説明】
【００１２】
【図１】本発明の第１の実施形態による印刷色評価システムの構成例を示す概略ブロック図である。
【図２】印刷色履歴データベース１１１における撮像画像テーブルの構成例を示す図である。
【図３】印刷色の管理対象の印刷物に設けられた管理用パッチの一例を示す図である。
【図４】印刷色履歴データベース１１１における印刷用評価テーブルの構成例を示す図である。
【図５】参照印刷色データベース１１０における参照用評価テーブルの構成例を示す図である。
【図６】本実施形態による印刷色評価システム１００の管理用パッチの各パッチの対象印刷色濃度及び対象印刷色評価値を求める処理の動作例を示すフローチャートである。
【図７】スマートフォンなどの携帯端末機器の表示画面における本実施形態による印刷色評価システム１００の操作画面を示す図である。
【図８】本発明の第２の実施形態による印刷色評価システムの構成例を示す概略ブロック図である。
【図９】印刷色履歴データベース１１１Ａにおける印刷用評価テーブルの構成例を示す図である。
【発明を実施するための形態】
【００１３】
＜第１の実施形態＞
以下、図面を参照して、本発明の第１の実施形態による印刷色評価システムについて説明する。図１は、本発明の第１の実施形態による印刷色評価システムの構成例を示す概略ブロック図である。
図１において、印刷色評価システム１０は、評価制御部１０１、カラープロファイル作成部１０２、ＲＧＢ値抽出部１０３、三刺激値変換部１０４、インキ傾き係数算出部１０５、比色トーン算出部１０６、印刷濃度算出部１０７、評価値算出部１０８、画像記憶部１０９、参照印刷色データベース１１０及び印刷色履歴データベース１１１の各々を備えている。この印刷色評価システム１０は、例えばスマートフォンにインストールされたアプリケーションのプログラムが起動され、スマートフォンのメモリ上において構成される機能部である。
【００１４】
評価制御部１０１は、管理用パッチの撮像画像のデータを読み込み、撮像画像識別情報を付して、印刷色履歴データベース１１１における撮像画像テーブルに書き込んで記憶させる。また、評価制御部１０１は、印刷色評価システム１０内の各部の制御を行なう。
カラープロファイル作成部１０２は、撮像されたカラーチェッカーを基に、印刷色評価システム１０に撮像画像を撮像する画像撮像装置のカラープロファイルを作成する。このカラープロフィアルは、例えば、ＩＣＣ（International Color Consortium）プロファイルであり、画像撮像装置の供給するＲＧＢ値を絶対基準の三刺激値（Ｘ，Ｙ，Ｚ）に変換するために用いる。また、カラープロファイル作成部１０２は、求めたカラープロファイルを参照印刷色データベース１１０に対して書き込んで記憶させる。
【００１５】
図２は、印刷色履歴データベース１１１における撮像画像テーブルの構成例を示す図である。撮像画像テーブルの各レコードには、撮像画像識別情報の欄に対応して、撮像画像データインデックスと、対象印刷装置識別情報と、撮像日時との欄が設けられている。
撮像画像識別情報は、撮像画像の各々を識別するための識別情報である。撮像画像データインデックスは、印刷色履歴データベース１１１における撮像画像のデータが書き込まれている領域のアドレスを示す情報である。対象印刷装置識別情報は、撮像画像に撮像されている管理用パッチを印刷した、印刷色の変動の管理を行なう対象の印刷装置の各々を識別する識別情報である。撮像日時は、撮像画像識別情報の示す撮像画像を撮像した日時を示す情報である。
【００１６】
すなわち、評価制御部１０１は、撮像画像のデータが管理対象の対象印刷装置識別情報及び撮像した日時である撮像日時（新聞の場合付け日）ととともに、撮像装置から供給されることにより、撮像画像のデータを印刷色履歴データベース１１１の所定の領域に書き込む。そして、評価制御部１０１は、撮像画像識別情報に対応させて、撮像画像のデータを書き込んだ印刷色履歴データベース１１１の領域のアドレスである撮像画像データインデックスと、対象印刷装置識別情報、撮像日時それぞれを、上記撮像画像データテーブルに書き込んで記憶させる。
【００１７】
図３は、印刷色の管理対象の印刷物に設けられた管理用パッチの一例を示す図である。本実施形態においては、図３の管理用パッチにより、例えば、印刷物として新聞紙の印刷色の変動の管理を行なう。図３の管理用パッチ５００は、複数の異なる色が印刷された印刷色パッチから構成されている。例えば、管理用パッチは、網点面積率が５０％のシアン（Ｃｙａｎ５０％）が印刷された領域、網点面積率が１００％のシアン（Ｃｙａｎ１００％）が印刷された領域、網点面積率が１００％の（Ｃｙａｎ１００％）の上に１００％のマゼンタ（Ｍａｇｅｎｔａ１００％）が印刷された領域、網点面積率が１００％のシアン（Ｃｙａｎ１００％）の上に１００％のイエロー（Ｙｅｌｌｏｗ１００％）が印刷された領域、網点面積率が５０％の黒（Ｂｌａｃｋ５０％）が印刷された領域、網点面積率が５０％のマゼンタ（Ｍａｇｅｎｔａ５０％）が印刷された領域、網点面積率が１００％のマゼンタ（Ｍａｇｅｎｔａ１００％）が印刷された領域、網点面積率が１００％のマゼンタ（Ｍａｇｅｎｔａ１００％）の上に１００％のイエロー（Ｙｅｌｌｏｗ１００％）が印刷された領域、網点面積率が１００％の黒（Ｂｌａｃｋ１００％）が印刷された領域、網点面積率が５０％の（Ｃｙａｎ５０％）の上に４０％のマゼンタ（Ｍａｇｅｎｔａ４０％）さらにその上に４０％のイエロー（Ｙｅｌｌｏｗ４０％）が印刷された領域、網点面積率が５０％のイエロー（Ｙｅｌｌｏｗ５０％）が印刷された領域、網点面積率が１００％のイエロー（Ｙｅｌｌｏｗ１００％）が印刷された領域それぞれ、すなわち印刷色パッチそれぞれから構成されている。また、印刷色が印刷される媒体である紙自体の領域、すなわちシアン、マゼンタ、イエロー、黒の各々の印刷の網点面積率が０％の領域についても、Ｐａｐｅｒ領域として、以下の説明に用いる。
【００１８】
図１に戻り、ＲＧＢ値抽出部１０３は、管理用パッチ５００の撮像画像から、各印刷色パッチの印刷色のＲＧＢ値を抽出し、印刷色それぞれを識別する対象印刷色識別情報に対応させ、印刷色履歴データベース１１１における印刷色履歴テーブルに書き込んで記憶させる。この印刷色履歴テーブルは、印刷色履歴データベース１１１において、撮像日時及び対象印刷装置毎に設けられている。
例えば、ＲＧＢ値抽出部１０３は、撮像画像における網点面積率が１００％のシアン（Ｃｙａｎ１００％）が印刷された領域のＲＧＢ値を抽出する。そして、ＲＧＢ値抽出部１０３は、この領域の印刷色である網点面積率が１００％のシアンを識別する対象印刷色識別情報に対応させ、抽出したＲＧＢ値を印刷色履歴テーブルに対して書き込んで記憶させる。
【００１９】
また、ＲＧＢ値抽出部１０３は、撮像画像において、管理用パッチ５００の外側の画像領域において、すなわちＰａｐｅｒ領域におけるＲＧＢ値の抽出（管理用パッチ５００が印刷された媒体の紙自体のＲＧＢ値の抽出）も行い、所定の対象印刷色識別情報に対応させて、印刷色履歴テーブルに対して書き込んで記憶させる。このＲＧＢ値の抽出する際、ＲＧＢ値抽出部１０３は、例えば、同一の管理用パッチ５００の撮像画像を５枚用いて、撮像画像におけるノイズの除去処理を行なう。ＲＧＢ値抽出部１０３は、撮像画像毎に管理用パッチ５００における印刷色パッチの各々のＲＧＢ値のヒストグラムを求め、このヒストグラムを撮像画像の５枚分で加算して、総合ヒストグラムを生成する。このヒストグラムは、ＲＧＢ値毎に作成されており、横軸に階調度が示され、縦軸にそれぞれの階調度の画素数が示されている。そして、ＲＧＢ値抽出部１０３は、予め設定された数値（画素数）以下の階調度をノイズとして除去した後、撮像画像における管理用パッチ５００の各印刷色の領域のＲＧＢ値を抽出する。
【００２０】
図４は、印刷色履歴データベース１１１における印刷用評価テーブルの構成例を示す図である。印刷用評価テーブルの各レコードには、対象印刷色識別情報の欄に対応して、対象ＲＧＢ値と、対象三刺激値、対象インキ傾き係数と、対象比色トーン値、対象印刷色濃度と、対象印刷色評価値との各々の欄が設けられている。
対象印刷色識別情報は、管理用パッチ５００の各印刷色パッチにおける印刷色（網点面積率が１００％のシアン（Ｃｙａｎ１００％）など）を識別する識別情報である。対象三刺激値（Ｘ2，Ｙ2，Ｘ2）は、撮像画像に撮像された管理用パッチ５００における各色彩色パッチの印刷色のＲＧＢ値（Ｒ，Ｇ，Ｂ）を，カラープロファイルを用いて変換して求めた三刺激値である。対象インキ傾き係数（Ｌｘ2，Ｌｙ2，Ｌｚ2）は、対象三刺激値を所定の関係式により変換して求めた係数である。
【００２１】
対象比色トーン値は、ＣＴＶ（Colorimetric  Tone  Value）であり、対象インキ傾き係数を用いて所定の関係式により求める。また、対象比色トーン値は、対象三刺激値に対応したPrintColorValueと示す場合もある。対象印刷色濃度は、対象比色トーン値を用いて、所定の関係式により求めた、管理用パッチ５００における印刷色パッチの濃度である。対象印刷色評価値は、印刷色パッチの濃度を用いて、所定の関係式により求めた、管理用パッチ５００における印刷色パッチのドットゲイン及び２次色のトラッピングの各々である。上述した印刷用評価テーブルにおける、所定の関係式により求める各々の数値については後述する。
【００２２】
図５は、参照印刷色データベース１１０における参照用評価テーブルの構成例を示す図である。印刷用評価テーブルの各レコードには、参照印刷色識別情報の欄に対応して、印刷色濃度と、参照三刺激値、測定光源、参照インキ傾き係数、参照比色トーン値との各々の欄が設けられている。
参照印刷色識別情報は、管理用パッチ５００の印刷色の変動を管理する際に標準値として用いる、参照用に紙に印刷された管理用パッチ５００の各印刷色に対応した印刷色それぞれ（例えば、網点面積率が１００％のシアン（Ｃｙａｎ１００％）など）を識別する識別情報である。印刷色濃度は、上述した実際に印刷された印刷色の各々を濃度計で測定した濃度値である。参照三刺激値（Ｘ1，Ｙ1，Ｚ1）は、例えば、印刷された各印刷色の印刷部分からの反射光を分光感度別に抽出して求めた三刺激値である。測定光源は、印刷色濃度及び参照三刺激値を測定した際の、光源環境を示している。例えば、本実施形態においては、Ｄ５０の光源を用いている。
【００２３】
対象インキ傾き係数（Ｌｘ1，Ｌｙ1，Ｌｚ1）は、参照三刺激値（Ｘ1，Ｙ1，Ｚ1）を所定の関係式により変換して求めた係数である。対象比色トーン値は、ＣＴＶ（Colorimetric  Tone  Value）であり、対象インキ傾き係数を用いて所定の関係式により求める。また、対象比色トーン値は、参照三刺激値に対応したRefColorValueと示す場合もある。この参照用評価テーブルは、管理開始の段階により一回作成されるものであり、評価基準を変更することがなければ、新たに作成されることはない。また、参照濃度及び参照三刺激値の各々は、媒体である紙のみの数値も測定されている。
【００２４】
図１に戻り、三刺激値変換部１０４は、参照印刷色データベース１１０からカラープロファイルを読み出す。そして、三刺激値変換部１０４は、読み出したカラープロファイルを用いて、印刷色履歴データベース１１１の印刷用評価テーブルから読み出した対象ＲＧＢ値を順次、対象三刺激値に変換し、求めた対象三刺激値を対象ＲＧＢ値に対応させて、印刷用評価テーブルに対して書き込んで記憶させる。
インキ傾き係数算出部１０５は、以下の（１）式を用いて、対象三刺激値（Ｘ2，Ｙ2，Ｚ2）及び参照三刺激値（Ｘ1，Ｙ1，Ｚ1）の各々から、対象インキ傾き係数（Ｌｘ2，Ｌｙ2，Ｌｚ2）、参照インキ傾き係数（Ｌｘ1，Ｌｙ1，Ｌｚ1）それぞれを算出する。すなわち、インキ傾き係数算出部１０５は、対象三刺激値（Ｘ2，Ｙ2，Ｚ2）及び参照三刺激値（Ｘ1，Ｙ1，Ｚ1）の各々を、（１）式の変数Ｘ、Ｙ、Ｚに対して代入することで、対象インキ傾き係数（Ｌｘ2，Ｌｙ2，Ｌｚ2）、参照インキ傾き係数（Ｌｘ1，Ｌｙ1，Ｌｚ1）それぞれを算出する。（１）式については、「A Regression-Based Model of Colorimetric Tone Reproduction for Use in Print Standards、WB Birkett, C Spontelli -TAGA Proceedings, 2005」を参照している。
【００２５】
【数１】
2018122445.tif 000003
【００２６】
そして、インキ傾き係数算出部１０５は、算出した対象インキ傾き係数（Ｌｘ2，Ｌｙ2，Ｌｚ2）を、用いた対象三刺激値（Ｘ2，Ｙ2，Ｚ2）に対応させて、印刷色履歴データベース１１１の印刷用評価テーブルに対して書き込んで記憶させる。また、インキ傾き係数算出部１０５は、算出した参照インキ傾き係数（Ｌｘ1，Ｌｙ1，Ｌｚ1）を、用いた参照三刺激値（Ｘ1，Ｙ1，Ｚ1）に対応させて、参照印刷色データベース１１０の印刷用評価テーブルに対して書き込んで記憶させる。インキ傾き係数は、環境光の三刺激値（ｒｅｆＸ，ｒｅｆＹ，ｒｅｆＺ）に対する対象三刺激値（Ｘ2，Ｙ2，Ｚ2）の比に対応した数値である。
【００２７】
比色トーン算出部１０６は、以下の（２）式を用いて、対象比色トーン値としてPrintColorValueを算出する。すなわち、比色トーン算出部１０６は、（２）式に対して対象インキ傾き係数（Ｌｘ2，Ｌｙ2，Ｌｚ2）を代入することにより、対象比色トーン値PrintColorValueを算出する。そして、比色トーン算出部１０６は、算出した対象比色トーン値PrintColorValueを、用いた対象インキ傾き係数（Ｌｘ2，Ｌｙ2，Ｌｚ2）に対応させて、印刷色履歴データベース１１１の印刷用評価テーブルに対して書き込んで記憶させる。以下の（２）式において、Lxpaper、Lypaper及びLzpaperの各々は、撮像画像における印刷媒体である紙自体の対象傾き係数である。
【００２８】
【数２】
2018122445.tif 000004
【００２９】
また、同様に、比色トーン算出部１０６は、（３）式に対して参照インキ傾き係数（Ｌｘ1，Ｌｙ1，Ｌｚ1）を代入することにより、参照比色トーン値RefColorValueを算出する。そして、比色トーン算出部１０６は、算出した参照比色トーン値RefColorValueを、用いた参照インキ傾き係数（Ｌｘ1，Ｌｙ1，Ｌｚ1）に対応させて、参照印刷色データベース１１０の参照用評価テーブルに対して書き込んで記憶させる。以下の（３）式において、LxRefpaper、LyRefpaper及びLzRefpaperの各々は、参照用に印刷色を印刷した紙自体の対象傾き係数である。
【００３０】
【数３】
2018122445.tif 000005
【００３１】
印刷濃度算出部１０７は、以下の（４）式を用いて、対象比色トーン値PrintColorValue及び参照比色トーン値RefColorValueの各々を代入することにより、対象印刷色濃度としてDensityを算出する。（４）式において、RefDensityは、参照用に紙に印刷された印刷色を測定して求めた、参照印刷色データベース１１０の印刷用評価テーブルにおける印刷色濃度である。すなわち、対象印刷色濃度Densityは、参照比色トーン値RefColorValueに対する対象比色トーン値PrintColorValueの比に、印刷色濃度RefDensityを乗じた結果に基づいて算出される。
【００３２】
【数４】
2018122445.tif 000006
【００３３】
上述した対象印刷色濃度Densityは、図３に示す管理用パッチ５００における印刷色の全て（紙自体の）に対して算出される。そして、印刷濃度算出部１０７は、対象印刷色識別情報に対応させ、算出した対象印刷色濃度Densityを、印刷色履歴データベース１１１の印刷用評価テーブルに書き込んで記憶させる。
【００３４】
評価値算出部１０８は、以下の（５）式を用いて、対象網点面積率ToneValueAを求める。
【００３５】
【数５】
2018122445.tif 000007
【００３６】
上記（５）式において、Density５０％は網点面積率が５０％の印刷色の対象印刷色濃度であり、Density１００％は網点面積率が１００％の印刷色の対象印刷色濃度であり、Densityｐａｐｅｒは紙自体の対象印刷色濃度である。また、（５）式は、ＩＳＯ（ International Organization for Standardization）１２６７−１に定義されている濃度を算出する式である。例えば、シアンに対する網点面積率を求めると、網点面積率が５０％のシアンと、網点面積率が１００％のシアンとの各々の対象印刷色濃度を、（５）式に代入して、対象網点面積率ToneValueAが６０％として求められた場合、評価値算出部１０８は、６０％（撮像画像から求められた対象網点面積率）−５０％（印刷する際に制御値とした網点面積率）＝１０％として、シアンのドットゲインを１０として算出する。
【００３７】
また、評価値算出部１０８は、以下の（６）式を用いて、トラッピング値Ｔを求める。
【００３８】
【数６】
2018122445.tif 000008
【００３９】
上記（６）式において、Density１＋２は２つの印刷色が重ね塗りされたパッチの対象印刷色濃度であり、Density１は重ね塗りにおける下に印刷された印刷色の対象印刷色濃度であり、Density２は対象印刷色濃度Density１の印刷色の印刷の上部に印刷された印刷色の対象印刷色濃度である。一般に重ね塗りの順番は、最初にブラック、次にシアン、そして順次マゼンタ、イエローの印刷色の各々が印刷される。例えば、評価値算出部１０８が、図３における印刷色がマゼンタ１００％とイエロー１００％との重ね塗りのパッチにおけるトラッピング値Ｔを算出する場合を説明する。
【００４０】
この場合、評価値算出部１０８は、（６）式において、Density１＋２がとしてマゼンタ１００％とイエロー１００％との重ね塗りのパッチの対象印刷色濃度を用い、Density１としてマゼンタ１００％のパッチの対象印刷色濃度を用い、Density２としてイエロー１００％のパッチの対象印刷色濃度を用いて、マゼンタ１００％とイエロー１００％との重ね塗りのパッチにおけるトラッピング値Ｔを算出する。そして、評価値算出部１０８は、対象印刷色識別情報に対応させ、算出したドットゲイン及びトラッピング値の各々を対象印刷色評価値として、印刷色履歴データベース１１１の印刷用評価テーブルに書き込んで記憶させる。
【００４１】
図６は、本実施形態による印刷色評価システム１００の管理用パッチの各パッチの対象印刷色濃度及び対象印刷色評価値を求める処理の動作例を示すフローチャートである。図７は、スマートフォンなどの携帯端末機器の表示画面における本実施形態による印刷色評価システム１００の操作画面を示す図である。以下、これら図６及び図７を用いて、本実施形態による印刷色評価システム１００の動作を説明する。
【００４２】
作業者は、スマートフォンのアイコンを操作して、印刷色評価システム１００のアプリケーションを起動する。
ステップＳ１０１：
上記起動操作により、評価制御部１０１は、図７（ａ）に示す操作画面を、携帯端末機器の表示画面に表示する。
作業者が操作画面におけるアイコン７０１を操作する（例えば、タッチする）ことにより、評価制御部１０１は、携帯端末機器のカメラ機能（画像撮像装置）を操作し、図７（ｂ）に示すように、表示画面７００において、撮像対象のカラーチェッカーの確認を行いつつ、カラーチェッカーの撮像画像の撮像を行なう。このとき、作業者が撮像した撮像画像（図７（ｃ））を、表示画面７００において確認し、撮像された撮像画像にカラーチェッカーの画像が完全に含まれているか、あるいはピントが合っていないかなどの判定を行なう。確認の結果、撮像された撮像画像にカラーチェッカーの画像が完全に含まれていない場合、またはピントが合っていない場合、再度撮像を行なう。
【００４３】
ステップＳ１０２：
カラープロファイル作成部１０２は、撮像されたカラーチェッカーを基に、印刷色評価システム１０に撮像画像を撮像する画像撮像装置のカラープロファイルを作成する。そして、カラープロファイル作成部１０２は、求めたカラープロファイルを参照印刷色データベース１１０に対して書き込んで記憶させる。
【００４４】
ステップＳ１０３：
カラープロファイル作成部１０２は、作成したカラープロファイルの精度が十分か否かの判定を、階調再現の滑らかさや色相の変化する位置での連続性などを判定することで行なう。このとき、カラープロファイル作成部１０２は、カラープロファイルの精度が十分であると判定した場合、処理をステップＳ１０４へ進める。一方、カラープロファイル作成部１０２は、カラープロファイルの精度が十分でないと判定した場合、処理をステップＳ１０１へ戻して、図７（ａ）の操作画面を表示画面７００に表示して再撮影を促す。
【００４５】
ステップＳ１０４：
作業者は、新聞紙において所定の位置に印刷されている管理用パッチ５００の撮像を行なう際、例えば、図７（ｄ）の操作画面において、表示画面７００の操作画面において対象印刷装置識別情報記入欄７０２に対して、評価対象の管理用パッチ５００を新聞紙に印刷した印刷装置の対象印刷装置識別情報を入力する。また、作業者は、印刷付け日記入欄７０３に対して、評価対象の管理用パッチ５００を新聞紙に印刷した日時を入力する。
【００４６】
評価制御部１０１は、対象印刷装置識別情報と付け日とが入力されることにより、作業者に対して、新聞紙における管理用パッチ５００の撮像を促す。
これにより、作業者は、図７（ｅ）に示すように、表示画面７００において、管理用パッチ５００の印刷されている領域７０４を参照しつつ、新聞紙における管理用パッチ５００が印刷されている所定の領域の画像を撮像する。評価制御部１０１は、撮像した管理用パッチ５００の撮像画像を画像記憶部１０９に対して、一旦、書き込んで記憶させる。このとき、作業者が撮像した撮像画像（図７（ｆ））を表示画面７００において確認し、撮像された撮像画像に管理用パッチ５００の画像が完全に含まれているか、あるいはピントが合っていないかなどの判定を行なう。確認の結果、撮像された撮像画像に管理用パッチ５００の画像が完全に含まれていない場合、またはピントが合っていない場合、再度撮像を行なう。
【００４７】
ステップＳ１０５：
作業者は、操作画面において、管理用パッチ５００の評価処理を開始するアイコン（不図示）を操作する。
評価制御部１０１は、評価処理を開始するアイコンが操作されることにより、画像記憶部１０９から撮像画像を読み出し、印刷色履歴データベース１１１に書き込んで記憶させ、撮像画像に対して付与した撮像画像識別情報とともに、撮像画像データインデックス、対象印刷装置識別情報、撮像日時の各々を、撮像画像テーブルに対して書き込んで記憶させる。
【００４８】
また、評価制御部１０１は、管理用パッチ５００が撮像された撮像画像を用いた印刷色の評価処理を開始する制御を、印刷色評価システム１００の各部に対して行なわせる。
ＲＧＢ値抽出部１０３は、印刷色履歴データベース１１１から管理用パッチ５００の撮像画像を読み出し、読み出した撮像画像の管理用パッチ５００の撮像された領域において、各パッチの印刷色のＲＧＢ値を求める。そして、ＲＧＢ値抽出部１０３は、抽出したＲＧＢ値を、印刷色履歴データベース１１１の印刷用評価テーブルに対して書き込んで記憶させる。
【００４９】
ステップＳ１０６：
三刺激値変換部１０４は、ＲＧＢ値抽出部１０３の抽出した各パッチの印刷色のＲＧＢ値である対象ＲＧＢ値を、印刷色履歴データベース１１１の印刷用評価テーブルから読み出す。そして、三刺激値変換部１０４は、読み出した対象ＲＧＢ値を、対象三刺激値（Ｘ2，Ｙ2，Ｚ2）に変換する。三刺激値変換部１０４は、変換した対象三刺激値（Ｘ2，Ｙ2，Ｚ2）を、印刷色履歴データベース１１１の印刷用評価テーブルに対して書き込んで記憶させる。
【００５０】
ステップＳ１０７：
インキ傾き係数算出部１０５は、三刺激値変換部１０４が変換した各パッチの対象印刷色の対象三刺激値（Ｘ2，Ｙ2，Ｚ2）を、印刷色履歴データベース１１１の印刷用評価テーブルから読み出す。そして、インキ傾き係数算出部１０５は、読み出した対象三刺激値（Ｘ2，Ｙ2，Ｚ2）を、対象インキ傾き係数（Ｌｘ2，Ｌｙ2，Ｌｚ2）に（１）式を用いて変換する。インキ傾き係数算出部１０５は、変換した対象三刺激値（Ｘ2，Ｙ2，Ｚ2）を、印刷色履歴データベース１１１の印刷用評価テーブルに対して書き込んで記憶させる。
【００５１】
また、インキ傾き係数算出部１０５は、管理用パッチ５００の対象印刷色の各々に対応する参照三刺激値（Ｘ1，Ｙ1，Ｚ1）それぞれを、参照印刷色データベース１１０の参照用評価テーブルから読み出す。
そして、インキ傾き係数算出部１０５は、参照印刷色の参照三刺激値（Ｘ1，Ｙ1，Ｚ1）を、参照インキ傾き係数（Ｌｘ1，Ｌｙ1，Ｌｚ1）に（１）式を用いて変換する。インキ傾き係数算出部１０５は、変換した参照インキ傾き係数（Ｌｘ1，Ｌｙ1，Ｌｚ1）を、参照印刷色データベース１１０の参照用評価テーブルに対して書き込んで記憶させる。
【００５２】
ステップＳ１０８：
比色トーン算出部１０６は、インキ傾き係数算出部１０５が変換した各パッチの対象印刷色の対象インキ傾き係数（Ｌｘ2，Ｌｙ2，Ｌｚ2）を、印刷色履歴データベース１１１の印刷用評価テーブルから読み出す。そして、比色トーン算出部１０６は、読み出した対象インキ傾き係数（Ｌｘ2，Ｌｙ2，Ｌｚ2）を、対象比色トーン値PrintColorValueに（２）式を用いて変換する。比色トーン算出部１０６は、変換した対象比色トーン値PrintColorValueを、印刷色履歴データベース１１１の印刷用評価テーブルに対して書き込んで記憶させる。
【００５３】
また、比色トーン算出部１０６は、インキ傾き係数算出部１０５が変換した各参照印刷色の参照インキ傾き係数（Ｌｘ1，Ｌｙ1，Ｌｚ1）を、参照印刷色データベース１１０の参照用評価テーブルから読み出す。そして、比色トーン算出部１０６は、読み出した参照インキ傾き係数（Ｌｘ1，Ｌｙ1，Ｌｚ1）を、参照比色トーン値RefColorValueに（３）式を用いて変換する。比色トーン算出部１０６は、変換した参照比色トーン値RefColorValueを、参照印刷色データベース１１０の参照用評価テーブルに対して書き込んで記憶させる。
【００５４】
ステップＳ１０９：
印刷濃度算出部１０７は、比色トーン算出部１０６が変換した各パッチのである対象印刷色の対象比色トーン値PrintColorValueを、印刷色履歴データベース１１１の印刷用評価テーブルから読み出す。また、印刷濃度算出部１０７は、比色トーン算出部１０６が変換した各参照印刷色の参照比色トーン値RefColorValueを、参照印刷色データベース１１０の参照用評価テーブルから読み出す。
そして、印刷濃度算出部１０７は、読み出した対象比色トーン値PrintColorValue及び参照比色トーン値RefColorValueの各々を（４）式に代入し、管理用パッチ５００におけるパッチの各々の対象印刷色の対象印刷色濃度Densityを求める。
【００５５】
ステップＳ１１０：
評価値算出部１０８は、管理用パッチ５００におけるパッチの各々の対象印刷色の対象印刷色濃度Densityを用い、（５）式及び（６）式の各々により、ドットゲイン、トラッピング値Ｔそれぞれを算出する。
そして、評価値算出部１０８は、ドットゲイン、トラッピング値Ｔそれぞれを、対象印刷色評価値として、印刷色履歴データベース１１１の印刷用評価テーブルに対して書き込んで記憶させる。
また、評価制御部１０１は、表示画面７００において、管理用パッチ５００の各パッチの印刷濃度、ドットゲイン、トラッピング値などを表示する。
【００５６】
上述したように、本実施形態においては、各作業者の携帯端末装置にインストールされたアプリケーション（プログラム）である印刷色評価システムにより、新聞紙に印刷された管理用パッチ５００のパッチの各々の印刷色の印刷色濃度及び対象印刷色評価値のそれぞれが求められる。この印刷色濃度及び対象印刷色評価値の各々の履歴を管理し、新聞紙に印刷される印刷色の変動を管理することができる（不図示の履歴管理部）。
また、各印刷工場における印刷装置の各々を集中的に管理する、技術センターなどの管理サーバに、各携帯端末装置から管理用パッチ５００のパッチの各々の印刷色の印刷色濃度及び対象印刷色評価値を送信し、この管理サーバにより集中して管理する構成としても良い。
【００５７】
上述したように、本実施形態によれば、予め印刷した印刷色の印刷色濃度を基準として参照し、評価の対象の新聞紙などにおける印刷色の管理用パッチの撮像画像から、管理用パッチにおけるパッチの各々に印刷された印刷色の対象印刷色濃度を求めるため、各印刷機の配置されている印刷工場の各々において専用測定機器を用いることなく、各印刷機における印刷色の印刷における印刷色濃度の管理を、管理用パッチを撮像して求めた対象印刷色濃度により簡易に行なうことが可能となる。
【００５８】
＜第２の実施形態＞
以下、図面を参照して、本発明の第２の実施形態による印刷色評価システムについて説明する。図８は、本発明の第２の実施形態による印刷色評価システムの構成例を示す概略ブロック図である。
図８において、印刷色評価システム１０Ａは、評価制御部１０１、カラープロファイル作成部１０２、ＲＧＢ値抽出部１０３、三刺激値変換部１０４、インキ傾き係数算出部１０５、比色トーン算出部１０６、印刷濃度算出部１０７、評価値算出部１０８、画像記憶部１０９、参照印刷色データベース１１０、印刷色履歴データベース１１１Ａ、空間的色知覚モデル変換部１１２、Ｌａｂ色空間変換部１１３及び修正三刺激値変換部１１４の各々を備えている。図８の第２の実施形態の構成において、第１の実施形態と同様の構成については、同一の符号を付してある。以下、第２の実施形態について、第１の実施形態と異なる構成及び動作の各々を説明する。
【００５９】
空間的色知覚モデル変換部１１２は、参照三刺激値（Ｘ1，Ｙ1，Ｚ1）及び対象三刺激値（Ｘ2，Ｙ2，Ｚ2）の各々を、一般的な所定の変換式により、表三刺激値と異なる表色系（空間的色知覚モデル）であるＣＩＥＣＡＭ０２のパラメータに変換する。そして、空間的色知覚モデル変換部１１２は、求めたＣＩＥＣＡＭ０２のパラメータを、印刷色履歴データベース１１１Ａの印刷用評価テーブルに対して書き込んで記憶させる。
【００６０】
ここで、ＣＩＥＣＡＭ０２のパラメータは、Ｑ（明るさ）、Ｊ（明度）、Ｈ（色相成分）、ｈ（色相角）Ｍ（カラフルネス）、Ｃ（クロマ）及び飽和度ｓの各々である。第１の実施形態においては三刺激値から直接にインキ傾き係数を求めていたが、第２の実施形態においてはＣＩＥＣＡＭ０２に変換した後にインキ傾き係数を求めている。ＣＩＥＣＡＭ０２のパラメータから擬似Ｌａｂを求め、擬似Ｌａｂから擬似三刺激値に変換することにより、人間の感覚に近い色表現に補正することができる。
しかしながら、ＣＩＥ１９７６Ｌ＊ａ＊ｂ＊の表色系は、人間の感覚が、色を正確に表した数値と、実際に見て感じ取った色とにずれがある。このため、近年、ＣＩＥ１９７６Ｌ＊ａ＊ｂ＊より人間の感覚に近い、すなわち人間が見て感じ取った色に近い色を数値として表すＣＩＥＣＡＭ０２が用いられる。
【００６１】
Ｌａｂ色空間変換部１１３は、ＣＩＥＣＡＭ０２のパラメータから、以下の（７）式を用いて、擬似ＣＩＥＬａｂの表色系のパラメータに変換する。
【００６２】
【数７】
2018122445.tif 000009
【００６３】
上記（７）式において、ＪはＣＩＥＣＡＭ０２のパラメータの明度であり、ＣはＣＩＥＣＡＭ０２のパラメータのクロマであり、ｈはＣＩＥＣＡＭ０２のパラメータの色相角である。この（７）式において算出される擬似Ｌａｂ値であるＬ02、ａ02及びｂ02の各々のパラメータは、ＣＩＥ１９７６Ｌ＊ａ＊ｂ＊のパラメータＬ＊、ａ＊及びｂ＊の各々と異なり、ＬａｂのパラメータＬ、ａ、ｂそれぞれに対応して擬似的に求めたパラメータである。この、ＣＩＥＣＡＭ０２から擬似的Ｌａｂの表色系への変換は、三刺激値を最終的に求めるために行なっている。そして、Ｌａｂ色空間変換部１１３は、求めた擬似Ｌａｂ値を、印刷色履歴データベース１１１Ａの印刷用評価テーブルに対して書き込んで記憶させる。
【００６４】
修正三刺激値変換部１１４は、一般的な変換式により、擬似Ｌａｂ値のＬ02、ａ02及びｂ02の各々のパラメータから、擬似的な三刺激値である擬似三刺激値（Ｘ02，Ｙ02，Ｚ02）を求める。そして、修正三刺激値変換部１１４は、求めた擬似三刺激値（Ｘ02，Ｙ02，Ｚ02）を、印刷色履歴データベース１１１Ａの印刷用評価テーブルに対して書き込んで記憶させる。
そして、インキ傾き係数算出部１０５は、（１）式における対象三刺激値（Ｘ2，Ｙ2，Ｚ2）を、擬似三刺激値（Ｘ02，Ｙ02，Ｚ02）に換えて、インキ傾き係数（Ｌｘ2，Ｌｙ2，Ｌｚ2）を算出する。
以降の処理については、第１の実施形態と同様のため、説明を省略する。
【００６５】
図９は、印刷色履歴データベース１１１Ａにおける印刷用評価テーブルの構成例を示す図である。この図９において、印刷用評価テーブルの各レコードには、対象印刷色識別情報の欄に対応して、対象ＲＧＢ値と、対象三刺激値と、ＣＩＥＣＡＭ０２パラメータと、擬似Ｌａｂ値と、擬似三刺激値と、対象インキ傾き係数と、対象比色トーン値と、対象印刷色濃度と、対象印刷色評価値との各々の欄が設けられている。
対象印刷色識別情報と、対象ＲＧＢ値と、対象三刺激値と、対象インキ傾き係数と、対象比色トーン値と、対象印刷色濃度と、対象印刷色評価値との各々については、第１の実施形態における図４の印刷色履歴データベース１１１における印刷用評価テーブルの構成と同様である。ＣＩＥＣＡＭ０２パラメータは、すでに述べたＱ（明るさ）、Ｊ（明度）、Ｈ（色相成分）、ｈ（色相角）Ｍ（カラフルネス）、Ｃ（クロマ）及び飽和度ｓの各々である。擬似Ｌａｂ値は、Ｌ02、ａ02及びｂ02の各々である。擬似三刺激値（Ｘ02，Ｙ02，Ｚ02）である。
【００６６】
本実施形態によれば、第１の実施形態と同様に、予め印刷した印刷色の印刷色濃度を基準として参照し、評価の対象の新聞紙などにおける印刷色の管理用パッチの撮像画像から、管理用パッチにおけるパッチの各々に印刷された印刷色の対象印刷色濃度を求めるため、各印刷機の配置されている印刷工場の各々において専用測定機器を用いることなく、各印刷機における印刷色の印刷における印刷色濃度の管理を、管理用パッチを撮像して求めた対象印刷色濃度により簡易に行なうことが可能となる。
また、本実施形態によれば、一旦、人間の見ている感覚と近い色の数値表現ができるＣＩＥＣＡＭ０２に変換した後、対象印刷色濃度を算出しているため、第１の実施形態に比較して、より人間の見ている感覚に近い色の数値を用いて、印刷色の変動の管理を行なうことが可能であるため、人間の見ている感覚での印刷色の変動を管理することができる。
【００６７】
また、図１における印刷色評価システム１０と図８における印刷色評価システム１０Ａとの各々の機能を実現するためのプログラムをコンピュータ読み取り可能な記録媒体に記録して、この記録媒体に記録されたプログラムをコンピュータシステムに読み込ませ、実行することにより印刷色の評価の処理を行ってもよい。なお、ここでいう「コンピュータシステム」とは、ＯＳや周辺機器等のハードウェアを含むものとする。
【００６８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、この発明の実施形態を図面を参照して詳述してきたが、具体的な構成はこの実施形態に限られるものではなく、この発明の要旨を逸脱しない範囲の設計等も含まれる。
【符号の説明】
【００７０】
１０，１０Ａ…印刷色評価システム
１０１…評価制御部
１０２…カラープロファイル作成部
１０３…ＲＧＢ値抽出部
１０４…三刺激値変換部
１０５…インキ傾き係数算出部
１０６…比色トーン算出部
１０７…印刷濃度算出部
１０８…評価値算出部
１０９…画像記憶部
１１０…参照印刷色データベース
１１１，１１１Ａ…印刷色履歴データベース
１１２…空間的色知覚モデル変換部
１１３…Ｌａｂ色空間変換部
１１４…修正三刺激値変換部
【図１】
2018122445.tif 000010
【図２】
2018122445.tif 000011
【図３】
2018122445.tif 000012
【図４】
2018122445.tif 000013
【図５】
2018122445.tif 000014
【図６】
2018122445.tif 000015
【図７】
2018122445.tif 000016
【図８】
2018122445.tif 000017
【図９】
2018122445.tif 000018